(57)【要約】【課題】            その作動安全性を改善し、人間工学的作業を保証し、手作業による着色を自動化することができるクライスタットの提供。【解決手段】        冷却可能なクライオスタット室を包囲する閉鎖可能なハウジングを有すると共に、該クライオスタット室を冷却するために、冷却装置、制御装置及び電源装置が配され、及び凍結試料を切断するために、該クライオスタット室内にミクロトームが配されるよう構成されたクライオスタットにおいて、前記ハウジング（２）の内部であって、前記クライオスタット室（３）の外部に、着色ステーション（７）が配されることを特徴とする。【選択図】          図１
0003110079.tif 000002
【実用新案登録請求の範囲】
【請求項１】
冷却可能なクライオスタット室を包囲する閉鎖可能なハウジングを有すると共に、該クライオスタット室を冷却するために、冷却装置、制御装置及び電源装置が配され、及び凍結試料を切断するために、該クライオスタット室内にミクロトームが配されるよう構成されたクライオスタットにおいて、
前記ハウジング（２）の内部であって、前記クライオスタット室（３）の外部に、着色ステーション（７）が配されること
を特徴とするクライオスタット。
【請求項２】
前記着色ステーション（７）は、互いに並置される複数の着色容器（８）を有すること、及び
前記着色ステーション（７）は、隣接する複数の着色容器（８）間での試料支持体の搬送を可能にする搬送装置（１０）及び駆動モータ（１１）が配されること
を特徴とする請求項１に記載のクライオスタット。
【請求項３】
前記着色ステーション（７）は、前記制御装置（５）及び／又は前記電源装置（６）と電気的に接続されること、及び
前記着色ステーション（７）は、前記ハウジング（２）内において、立ち机の高さに相当する位置に配置されること
を特徴とする請求項１又は２に記載のクライオスタット。
【請求項４】
前記駆動モータ（１１）は、前記制御装置（５）及び／又は前記電源装置（６）と電気的に接続されること、及び
前記搬送装置（１０）は、チェーン駆動装置（１２）を有すること
を特徴とする請求項２又は３に記載のクライオスタット。
【請求項５】
前記制御装置（５）には、少くとも着色時間、液切り時間及び温度を含む着色ステーション（７）の可変パラメータを調節するための調節ユニット（９）が配されること
を特徴とする請求項１〜４のいずれかに記載のクライオスタット。
【考案の詳細な説明】
【技術分野】
【０００１】
本考案は、一般に、凍結試料を切断するためのミクロトームが配されたクライオスタット室を有するクライオスタットに関し、とりわけ冷却可能なクライオスタット室を包囲する閉鎖可能なハウジングを有すると共に、該クライオスタット室を冷却するために、冷却装置、制御装置及び電源（電気エネルギ供給）装置が配され、及び凍結試料を切断するために、該クライオスタット室内にミクロトームが配されるよう構成されたクライオスタットに関する。
【背景技術】
【０００２】
この種のクライオスタットは、のちに顕微鏡観察するための凍結試料をミクロトームによって切断するために使用される。切断されるべき試料は、所定の予設定可能な温度に冷却される。この温度は、通常、−１０℃〜−５０℃である。この温度を達成するために、クライオスタットには、制御装置及び中央電源装置が配され相応の寸法に構成された冷却装置が設けられる。
【０００３】
温度一定性を保証するために、ミクロトームは、大掛かりな態様でカプセル化されたクライオスタット室内に配され、クライオスタット室は冷却装置によって相応に冷却される。
【０００４】
凍結試料は、クライオスタット室内に配設されたミクロトームによって切断され、次いでナイフ又はナイフホルダから試料支持体に搬送され、着色される。切断された試料に応じて、種々異なる着色法が適用されるが、試料支持体上の試料は、複数の異なるホルダを順次通過されなければならない。
【０００５】
【特許文献１】独国特許出願公開第１９９１８４４２号明細書
【考案の開示】
【考案が解決しようとする課題】
【０００６】
並置された複数の容器を有する自動着色装置について記載した文献は存在する（上掲特許文献１参照）。この自動着色装置は、実際上非常に良好であることが判明しており、高いスループットでの複数の試料支持体の処理に最適化されている。しかしながら、自動着色装置は、その構造大きさのため、実験室では、クライオスタットとは別の作業スペースに設置され、そのためクライオスタットの横で直接的にアクセスすることはできない。
【０００７】
実際上、凍結され切断された試料は、できるだけ迅速に顕微鏡で検査されるべきである。切断された試料に必要な着色をできるだけ迅速確実に実行するために、簡単な着色容器（複数）をクライオスタットに載せて、そこで着色を実行する。着色容器は、クライオスタットに直接的に結合されてはいないので、着色容器が転倒して、その内容物がクライオスタット室内に流入する危険がある。そのため、クライオスタットで作業を続行することができなくなる。なぜなら、一旦霜取りを行ってから更に大掛かりな清掃を実行しなければならないからである。
【０００８】
それゆえ、本考案の課題は、クライオスタットの作動安全性を改善し、人間工学的作業を保証し、手作業による着色を自動化することである。
【課題を解決するための手段】
【０００９】
上記の課題を解決するために、本考案の一視点により、冷却可能なクライオスタット室を包囲する閉鎖可能なハウジングを有すると共に、該クライオスタット室を冷却するために、冷却装置、制御装置及び電源装置が配され、及び凍結試料を切断するために、該クライオスタット室内にミクロトームが配されるよう構成されたクライオスタットが提供される。このクライオスタットにおいて、前記ハウジングの内部であって、前記クライオスタット室の外部に、着色ステーションが配されることを特徴とする（形態１・基本構成）。
【考案の効果】
【００１０】
本出願の独立請求項１により、上記課題に対応した効果が上述の通り達成される。即ち、本考案のクライオスタットは、その作動安全性を改善し、人間工学的作業を保証し、手作業による着色を自動化することができる。
更に、各従属請求項により、付加的な効果が後述の通りそれぞれ達成される。
【考案を実施するための最良の形態】
【００１１】
以下に、本考案の好ましい実施の形態を、上記基本構成を形態１として示すが、これらは従属請求項の対象でもある。
（２）上記形態１のクライオスタットにおいて、前記着色ステーションは、互いに並置される複数の着色容器（処理容器）を有すること、及び
前記着色ステーションは、隣接する複数の着色容器間での試料支持体の搬送を可能にする搬送装置及び駆動モータが配されることが好ましい（形態２）。
（３）上記形態１のクライオスタットにおいて、前記着色ステーションは、前記制御装置及び／又は前記電源装置と電気的に接続されること、及び前記着色ステーションは、前記ハウジング内において、立ち机の高さに相当する位置に配置されることが好ましい（形態３）。
（４）上記形態２のクライオスタットにおいて、前記駆動モータは、前記制御装置及び／又は前記電源装置と電気的に接続されること、及び前記搬送装置は、チェーン駆動装置（Kettenantrieb）を有することが好ましい（形態４）。
（５）上記形態１のクライオスタットにおいて、前記制御装置には、着色時間、液切り時間（Abtropfzeit）及び温度等の着色ステーションの可変パラメータを調節するための調節ユニットが配されることが好ましい（形態５）。
【００１２】
本考案は、クライオスタットのハウジング内部でありかつクライオスタット室の外部に、着色ステーションが固定的に組み込まれ、そのため着色容器の転倒の危険性は存在しないことを特徴としている。
【００１３】
本考案の一実施形態では、着色ステーションは、互いに並置された複数の着色容器を有するので、複数の試料を同時に着色することや、複数の処理液（着色剤）による着色プロセスで複数の試料を順次処理することが可能となる。
【００１４】
本考案の一展開形態では、着色ステーションには、隣接する複数の着色容器間で複数の試料支持体の搬送を可能にする搬送装置及び駆動モータが配されるため、着色されるべき試料を有する試料支持体の搬送は自動的に実行される。
【００１５】
本考案の更なる一実施形態では、着色ステーションは、制御装置及び／又は電源装置と電気的に接続されるため、従来技術では必要とされた着色ステーション独自の制御装置及び／又は電源装置を不要とすることができる。必要な制御機能は、クライオスタットの制御装置を介して直接実行することができる。
【００１６】
本考案の一発展形態では、駆動モータは、制御装置及び／又は電源装置と電気的に接続されるため、従来技術では必要とされた駆動モータ独自の制御装置及び／又は電源装置を不要とすることができる。必要な制御機能は、クライオスタットの制御装置を介して直接実行することができる。
【００１７】
本考案の更なる一発展形態では、搬送装置は、１つの着色容器から次の着色容器への試料支持体の搬送を実行するチェーン駆動装置（Kettenantrieb）が配される。
【００１８】
本考案の別の一実施形態では、制御装置には、着色ステーションの変更可能なパラメータ（例えば着色時間、液切り時間（Abtropfzeit）、温度等）を調節するための調節ユニットが配される。このため、調節ユニットはクライオスタットのハウジング内に直接組み込まれ、クライオスタットの調節ユニットは、着色ステーションに対する入力機能を併せ持つことができる。
【００１９】
本考案の更なる一展開形態では、着色ステーションは、クライオスタットのハウジング内において、立ち机（Stehpult）の高さ（凡そ１１０ｃｍ）に相当する（高さ）位置に配置されるため、着色ステーションでの試料支持体の装填・取出に対しても人間工学的作業が可能となる。
【００２０】
以下に、本考案の実施例を図面を参照して詳細に説明する。なお、以下の実施例は、考案の理解の容易化のためのものであり、本考案の技術的思想を逸脱しない範囲において当業者により実施可能な付加・置換等を適用することを排除することは意図しない。また、登録請求の範囲に付した図面参照符号も考案の理解の容易化のためのものであり、本考案を図示の態様に限定することは意図しない。なお、これらの点に関しては、補正・訂正後においても同様である。
【実施例】
【００２１】
図１は、ミクロトーム（不図示）が配設されたクライオスタット室３を包囲するハウジング２を有するクライオスタット１の概略図である。クライオスタット室３は、カバーを介してユーザがアクセス可能に構成される。クライオスタット室３を冷却するために、冷却装置４がハウジング２内に配設される。クライオスタット１を作動するために、制御装置５及び中央電源装置６が配される。クライオスタット１のハウジング２内には、試料支持体に載置された切断された試料を着色するための着色ステーション７が組み込まれる。着色ステーション７は、並置された複数の着色容器８を有し、搬送装置１０が配される。搬送装置１０は、チェーン駆動装置１２、及び第１の電気的接続要素１３を介して中央電源装置６に接続される駆動モータ１１を有する。なお、着色ステーションでは、純粋な着色処理の他、当該着色処理に付随する処理その他の処理も実行可能である。
【００２２】
着色ステーション７は、第２の電気的接続要素１４を介して制御装置５と接続される。着色ステーション７における所定のサイクル時間及び／又は温度を手動で設定（入力）するために、電気的接続要素１６を介して制御装置５に接続される調節ユニット９が設けられる。
【００２３】
着色ステーション７は、複数の試料支持体を同時に着色できるような寸法に構成されているが、着色ステーション７は、クライオスタット１のハウジング２内において、一般的な立ち机の高さ、即ち凡そ１１０ｃｍの（高さ）位置に配置される。このため、試料支持体上の試料を着色する際に人間工学的に好ましい作業の実現が達成される。
【図面の簡単な説明】
【００２４】
【図１】本考案の一実施例を示す概略図。
【符号の説明】
【００２５】
１    クライオスタット
２    ハウジング
３    クライオスタット室
４    冷却装置
５    制御装置
６    電源装置
７    着色ステーション
８    着色容器（処理容器）
９    調節ユニット
１０  搬送装置
１１  駆動モータ
１２  チェーン駆動装置
１３  電源装置６と駆動モータ１１との間の電気的接続要素
１４  制御装置５と駆動モータ１１との間の電気的接続要素
１５  カバー
１６  制御装置５と調節ユニット９との間の電気的接続要素
【図１】
0003110079.tif 000003